(57)【要約】  【課題】  ヒンジ部およびウエザーストリップよりも室内側にドアハーネスを配策する。  【解決手段】  半円環状に湾曲させたバネ部の一端にパネル固定片を設けていると共に他端にグロメット固定片を設けた樹脂製の上下一対の伸縮ガイド材を設け、該伸縮ガイド材のバネ部を上下対向させた状態で上記パネル固定片をドアインナパネルの内面開口を閉鎖するように取り付ける樹脂パネルに固定し、かつ、該伸縮ガイド材のバネ部の対向側内面にそれぞれドアハーネスを２分割して保持する一方、上記グロメット固定片をグロメットの蛇腹筒部の一端に固定すると共に上記２分割したドアハーネスを蛇腹筒部に貫通させ、上記グロメットをドアインナパネルの内面から端面にかけたコーナ部に形成した凹部に挿通して車体パネル側に引き出し、ドア開放時には上記伸縮ガイド材のバネ部がドアハーネスと共に伸長し、ドア閉鎖時にはバネ部が円環状に復元して、ドア開閉動作にドアハーネスを追従させる構成としている。  【選択図】  図１
2005178456.tif 000002
【特許請求の範囲】
【請求項１】
自動車のドアインナパネルの室内側面から、車体パネル側端面のウエザーストリップ取付位置より室内側を通り、車体パネルへとドアハーネスを伸縮自在に配索しているドアハーネスの取付構造であって、
半円環状に湾曲させたバネ部の一端にパネル固定片を設けていると共に他端にグロメット固定片を設けた樹脂製の上下一対の伸縮ガイド材を設け、該伸縮ガイド材のバネ部を上下対向させた状態で上記パネル固定片をドアインナパネルの内面開口を閉鎖するように取り付ける樹脂パネルに固定し、かつ、該伸縮ガイド材のバネ部の対向側内面にそれぞれドアハーネスを２分割して保持する一方、上記グロメット固定片をグロメットの蛇腹筒部の一端に固定すると共に上記２分割したドアハーネスを蛇腹筒部に貫通させ、
上記グロメットをドアインナパネルの内面から端面にかけたコーナ部に形成した凹部に挿通して車体パネル側に引き出し、ドア開放時には上記伸縮ガイド材のバネ部がドアハーネスと共に伸長し、ドア閉鎖時にはバネ部が円環状に復元して、ドア開閉動作にドアハーネスを追従させる構成としていることを特徴とするドアハーネスの取付構造。
【請求項２】
上記上下一対の伸縮ガイド材の各バネ部の両端を可撓性を有するＸ形状の連結片を介して連結し、ドア閉鎖時に上記円環状への復元を助勢できる構成としている請求項１に記載のドアハーネスの取付構造。
【請求項３】
上記上下一対の伸縮ガイド材のグロメット固定片は、上記グロメットの蛇腹筒部の一端外面に重ねてタイバンドで固定し、該グロメットの先端に上記車体パネルに穿設した開口に挿入係止する係止部を設けている請求項１または請求項２に記載のドアハーネスの取付構造。
【発明の詳細な説明】
【技術分野】
【０００１】
本発明は、ドアハーネスの取付構造に関し、詳しくは、自動車の車体パネルと対向するドアパネルに端面に穿設された貫通孔を通してドアハーネスを車体側に引き出さずに、ドアインナパネル側から車体パネルへと配索するものである。
【背景技術】
【０００２】
従来、自動車のドアハーネスは、ドアインナパネルの内部からドアインナパネルの車体パネル側の端面に設けた貫通穴から車体パネル側へと引き出し、車体パネル側に配索されるワイヤハーネスと接続されている。しかしながら、上記ドアハーネスを貫通穴から引き出す貫通作業は目視しづらいドアインナパネル内部側からの作業であるうえ、貫通時に大きな力を要するため、非常に困難な作業であった。
そこで近年では、貫通作業をなくすようにした所謂、貫通レス・グロメットを用いたドアハーネス取付構造が提供されている。
【０００３】
例えば、特開平１１−２０５７３号（特許文献１）では、図７（Ａ）（Ｂ）に示すように、貫通レスグロメット１を用いたドアハーネス取付構造の一例が開示されている。詳しくは、この貫通レスグロメット１は、ドアインナパネルＤから引き出されたワイヤハーネスＷを挿通する蛇腹筒部２と、ドアインナパネルＤの内面側から端面側にかけたコーナ部に沿うとともに内部にワイヤハーネスＷを挿通可能なＬ字型の偏平な取付板３よりなり、該取付板３の内部に配索されたワイヤハーネスＷを保護するためにプロテクタ４を取り付けてワイヤハーネスＷの内面側を覆う構成としている。
【０００４】
上記取付構造によれば、ワイヤハーネスＷは、ドアインナパネルＤに設けた貫通穴から引き出すのではなく、インナパネルＤの内面側から端面側へとコーナ部に沿って車体パネルＢ側へと配索することができる。また、ドアと車体との間のヒンジ部支点位置で上下高さ方向に位置を変えてワイヤハーネスＷを配策するため、ドア開閉時にはワイヤハーネスＷにねじれのみが発生し、伸縮しなくてもよい構造となっている。
【０００５】
しかしながら、上記取付構造では、図７（Ｂ）に示すように、グロメット１とドアインナパネルＤの表面にウエザーストリップ５を縦走させて配置するため、防水性を高めるためには、グロメット１とその内部に配索するワイヤハーネスＷをともに扁平化し、グロメット１の取付板３とドアインナパネルＤとの段差を減らして隙間を発生させないようにする必要がある。しかし、グロメット１を扁平化するためには、取付板３、プロテクタ４などの特別な樹脂成形品が必要となるうえ、ワイヤハーネスＷとグロメット１に特別な防水構造が必要となり、部品点数が増えコスト高となるとともにハーネス組み立て工数も増える問題がある。
【０００６】
この問題に対して、グロメットの上にウエザーストリップを配置しない構造、即ち、ドアハーネスをウエザーストリップよりも室内側に配索する構造が考えられる。しかしその場合は、ドアハーネスの配索ルートがドアと車体との間のヒンジ部の位置から室内側へとずれるため、ドア開閉に伴って、ドアハーネスにはねじれのみでなく、伸縮性も必要となる。
【０００７】
これに関し、本出願人は、例えば、特開平１０−１８１４７９号（特許文献２）で、図８（Ａ）（Ｂ）に示すように、ドアまたは車体のいずれか一方に図示のような三角形状のガイド枠６を取り付け、該ガイド枠６の内部に予め余長分を迂回させて収容しておいたワイヤハーネスＷをドアまたは車体のいずれか他方へと配索し、ドアの開閉に応じて該ガイド枠６からワイヤハーネスＷを出し引きして伸縮させる構造を提案している。
上記ガイド枠６は、ワイヤハーネスＷの挿入口６ａと引出口６ｂとを離隔した位置に開口しており、該挿入口６ａから挿入したワイヤハーネスＷ／Ｈを該挿入口６ａにテープ９で固定し、ガイド枠６内で屈曲させて上記引出口６ｂより導出すると共に、ワイヤハーネスＷの屈曲部７の内側にＶ形状のバネ板８を取り付けて、ドア閉鎖時には該バネ板８の復帰力でワイヤハーネスＷをガイド枠６内に引き戻す構成としている。
【０００８】
しかしながら、近年の自動車のように車載部品が多く電線本数が多数化すると、ドアハーネスも太くなり、そのドアハーネスを一束のまま小さなガイド枠６の内部に納めるように巻いたり屈曲させることは難しく、ハーネスに負荷をかけることにもなる。
【特許文献１】特開平１１−２０５７３号公報
【特許文献２】特開平１０−１８１４７９号公報
【発明の開示】
【発明が解決しようとする課題】
【０００９】
本発明は上記問題に鑑みてなされたもので、ドアハーネスをウエザーストリップよりも室内側に配索すると共にドアハーネスへの負荷の少ないドアハーネスの取付構造の提供を課題としている。
【課題を解決するための手段】
【００１０】
上記課題を解決するために、本発明は、自動車のドアインナパネルの室内側面から車体パネル側端面のウエザーストリップ取付位置より室内側を通り、車体パネルへとドアハーネスを伸縮自在に配索しているドアハーネスの取付構造であって、
半円環状に湾曲させたバネ部の一端にパネル固定片を設けていると共に他端にグロメット固定片を設けた樹脂製の上下一対の伸縮ガイド材を設け、該伸縮ガイド材のバネ部を上下対向させた状態で上記パネル固定片を、ドアインナパネルの内面開口を閉鎖するように取り付ける樹脂パネルに固定し、かつ、該伸縮ガイド材のバネ部の対向側内面にそれぞれドアハーネスを２分割して保持する一方、上記グロメット固定片をグロメットの蛇腹筒部の一端に固定すると共に上記２分割したドアハーネスを蛇腹筒部に貫通させ、
上記グロメットをドアインナパネルの内面から端面にかけたコーナ部に形成した凹部に挿通して車体パネル側に引き出し、ドア開放時には上記伸縮ガイド材のバネ部がドアハーネスと共に伸長し、ドア閉鎖時にはバネ部が円環状に復元して、ドア開閉動作にドアハーネスを追従させる構成としていることを特徴とするドアハーネスの取付構造を提供している。
【００１１】
上記のようにドアハーネスが伸縮することにより、ウエザーストリップ取付位置よりも室内側、即ちヒンジ部支点位置から離隔する位置にドアハーネスを配索することが可能となるため、従来のようなグロメットやドアハーネスの扁平化およびそのための特別な部品、さらには特別な防水構造が不要となるうえ、室内やワイヤハーネス内への水の浸入を完全に防止することができる。また、上記構造によれば、ドアハーネスを２分割して、それぞれを上下の伸縮ガイド材に固定して上下に分けて伸縮させるため、一束に集束した太いドアハーネスを一束のまま伸縮させる構造に比して伸縮作業がスムーズになると共に、伸縮の際に各ドアハーネスにかかる負荷も小さくなり、ハーネスの傷みを防止することができる。
【００１２】
上記上下一対の伸縮ガイド材の各バネ部の両端を可撓性を有するＸ形状の連結片を介して連結し、ドア閉鎖時に上記円環状への復元を助勢できる構成としている。これにより、ドアの開閉動作にドアハーネスを一層スムーズに追従させることができるうえ、上下伸縮ガイド材が上下に離反して徒に伸縮スペースを費やすことを防止し、上下伸縮ガイド材をコンパクトに伸縮させることができる。
【００１３】
上記グロメットのハーネス挿通部は蛇腹筒部よりなり、該グロメットの上記上下の伸縮ガイド材固定片を上記蛇腹筒部の一端外面にそれぞれ重ねてタイバンドで固定すると共に、該グロメットの先端に上記車体パネルに穿設した開口に挿入係止する係止部を設けている。  上記のように伸縮ガイド材をグロメットにタイバンドで固定すると、伸縮ガイドの伸縮時にグロメットから外れることを確実に防止できる。
【発明の効果】
【００１４】
上述したように、本発明によれば、伸縮ガイド材に沿って半円環状に迂回するように配策された２分割したドアハーネスをバネ部と共に伸縮させることができるため、該ドアハーネスをウエザーストリップよりも室内側、すなわちヒンジ部支点位置から離隔した位置に配索しても、ドアの開閉にこのドアハーネスをスムーズに追従させることができる。このように、ウエザーストリップよりも室内側へのドアハーネスの配索が可能となることにより、グロメットやハーネスへの特別な防水構造が不要となると共に、グロメットやドアハーネスの扁平化、およびそのための特別な部品も不要となり、さらに、高い防水性を確保することができる。
【００１５】
かつ、ドアハーネスを２分割して上下一対の伸縮ガイド材にそれぞれ固定し、上下それぞれで伸縮させる構造であるため、太いドアハーネスを分割せずに曲げたり巻いたりして迂回させる場合に比して伸縮作業がスムーズになると共に、ドアハーネスにかかる負荷も軽減し、ドアハーネスの傷みを防止することができる。
【発明を実施するための最良の形態】
【００１６】
以下、発明の実施形態を図面を参照して説明する。
図１乃至図７は、本発明の実施形態に係るドアハーネス２０の取付構造１０を示し、ドアインナパネル１１の室内側面１１ａから車体パネル１６と対向する端面１１ｂのウエザーストリップ１８の取付位置よりも室内側を通って車体パネル１６へと配策されるドアハーネス２０の取付構造に本発明を適用している。
【００１７】
上記ドアインナパネル１１は、図２に示すように、室内側面１１ａを外枠形状として後述する樹脂パネル１３取付用の開口１２を設けていると共に、該室内側面１１ａから上記端面１１ｂにかけたコーナ部には凹部１５を形成している。また、ドアインナパネル１１の上記端面１１ｂには、ウエザーストリップ１８を縦走させて取り付けており、上記凹部１５は、その前端縁１５ａがこのウエザーストリップ１８の取付位置よりも室内側に位置するように形成されている。なお、ドアインナパネル１１の室外側には金属製のアウタパネル１４が配置されている。
【００１８】
上記ドアハーネス２０の先端には、図１に示すようにコネクタ２１を接続していると共に、該先端部にはグロメット２５を外嵌している。該グロメット２５はゴム又はエラストマーからなり、図５に示すように、ドアハーネス２０を貫通させる蛇腹筒部２６の後端に後述する伸縮ガイド材３０をタイバンド３６で固定する一方、前端にコネクタ収容部２８を設している。このコネクタ収容部２８の内部には、図４に示すように樹脂インナー２９を収容係止しており、該樹脂インナー２９のコネクタ収容部２８より突出した位置に一対の車体係止用突起２９ａを形成している。
【００１９】
上記上下一対の伸縮ガイド材３０（３０Ａ、３０Ｂ）は樹脂成型品からなり、略中間部に半円環状に湾曲させて形成したバネ部３１と、バネ部３１の後端から延設した平板状のパネル固定片３２と、バネ部３１の前端から延設した平板状のグロメット固定片３５とを一体成形している。上記パネル固定片３２にはクリップ孔３２ｂを設けたクリップ取付部３２ａを突設している。
【００２０】
上記伸縮ガイド材３０（３０Ａ，３０Ｂ）には、図３に示すように、ドアハーネス２０を挿通する長手方向の溝３３を、湾曲した内面側を通る全長にわたって形成して断面Ｃ字形状としている。また、上下一対の伸縮ガイド材３０Ａ、３０Ｂは、それぞれのバネ部３１の両端を可撓性を有するＸ形状の連結片３４で上下左右に互いに連結している。
【００２１】
上下一対の伸縮ガイド材３０Ａ、３０Ｂは、溝３３が対向するように配置され、それぞれの溝３３に、２分割したドアハーネス２０Ａ，２０Ｂを挿通して保持させた後、図５（Ａ）に示すように、２分割したドアハーネス２０Ａ、２０Ｂをまとめて先端部からグロメット２５に貫通させて先端方向へと引き出している。
この状態で、図５（Ｂ）に示すように、上下一対の伸縮ガイド材３０Ａ，３０Ｂのグロメット固定片３５をグロメット２５の蛇腹筒部２６の後端外面に重ねてタイバンド３６で固定している。
【００２２】
上記のようにグロメット２５と伸縮ガイド材３０とを装着されたドアハーネス２０は、図１および図２に示すように、グロメット２５をドアインナパネル１１の上記凹部１５に挿通して車体パネル１６側に引き出し、グロメット２５に取り付けた樹脂インナー２９の車体係止用突起２９ａを上記車体パネル１６に穿設された貫通穴１６ａに挿入係止して、先端に接続したコネクタ２１を車体側のハーネス（図示せず）に接続している。また、該ドアハーネス２０と伸縮ガイド材３０の後端側は、上記パネル固定片３２のクリップ穴３２ｂと上記樹脂パネル１３の取付穴１３ａにクリップ４０を挿入係止することによって、樹脂パネル１３の室内側面に固定し、該樹脂パネル１３でドアインナパネル１１に上記開口１２を閉鎖するように取り付けている。この樹脂パネル１３の室内面側には、ドアハーネス２０の露出部を覆うようにトリム（図示せず）を取り付けてカバーしている。
【００２３】
上記構成からなるドアハーネス２０の取付構造１０によれば、図１に示すように、ドアハーネス２０の配索ルートがウエザーストリップ１８よりも室内側となり、即ち、ドアインナパネル１１と車体パネル１６との間のヒンジ部１９より室内側にずれた位置にドアハーネス２０を通すことになる。そのため、ドア開閉時にはドアハーネスを伸縮および捩らさせる必要があるが、ドアハーネス２０に取り付けた伸縮ガイド材３０のバネ部３１が、ドア開放時には図６（Ａ）に示すように伸びてドアハーネス２０と共に伸長し、ドア閉鎖時には図６（Ｂ）に示すように、連結片３４の助勢もあって収縮復元し、上記凹部１５からのドアハーネス２０の引き出し量を調節する。よって、ヒンジ部１９まわりにおけるドアハーネス２０およびグロメット２５をドア開閉動作にスムーズに追従させ、作業性を良好にすることができる。また、上記ドアハーネス２０をウエザーストリップ１８よりも室内側に通すことにより、該ドアハーネス２０やグロメット２５を従来のように扁平化することも、これらに特別な防水構造を設けることも不要となるうえ、高い防水性を確保することができる。
【００２４】
なお、本発明は上記実施形態に限定されず、上下伸縮ガイド材をＸ字状に連結する連結片は必ずしも設ける必要はない。また、上下伸縮ガイド板の半円弧形状としたバネ部３１も平板を湾曲させた形状とし、その内周面に２分割したドアハーネスを沿わせてテープ巻してドアハーネスを保持してもよい。さらに上下伸縮ガイド材とグロメットとの固定もタイバンドに限らず上下伸縮ガイド材の伸縮時にグロメットから外れない連結構成であればよい。
【図面の簡単な説明】
【００２５】
【図１】本発明の実施形態に係るドアハーネスの取付構造を示す斜視図である。
【図２】図１に示すドアハーネスの取付構造を示す分解斜視図である。
【図３】図１に示す伸縮ガイド材の要部拡大斜視図である。
【図４】図１に示すドアハーネスの車体パネル側の取付部分を示す斜視図である。
【図５】（Ａ）（Ｂ）は、図１に示すドアハーネスをグロメットおよび伸縮ガイド材に挿通する作業を示す図である。
【図６】（Ａ）はドア開放時の伸縮ガイド材およびドアハーネスの状態を示し、（Ｂ）はドア閉鎖時の伸縮ガイド材およびドアハーネスを示している。
【図７】従来例の図である
【図８】他の従来例の図である。
【符号の説明】
【００２６】
１０  ドアハーネスの取付構造
１１  ドアインナパネル
１２  開口
１５  凹部
１６  車体パネル
１８  ウエザーストリップ
２０  ドアハーネス
２５  グロメット
２６  蛇腹筒部
３０（３０Ａ、３０Ｂ）伸縮ガイド材
３１  バネ部
３２  パネル固定片
３４  連結片
３５  グロメット固定片
３６  タイバンド
【図１】
2005178456.tif 000003
【図２】
2005178456.tif 000004
【図３】
2005178456.tif 000005
【図４】
2005178456.tif 000006
【図５】
2005178456.tif 000007
【図６】
2005178456.tif 000008
【図７】
2005178456.tif 000009
【図８】
2005178456.tif 000010